(57)【要約】【課題】容易に支持パネルの主桁に対する相対位置並びに傾斜角を均一に配することができる橋梁床版支持用型枠及び橋梁床版の施工方法を提供する。【解決手段】橋梁床版６０を支持パネルを密着させて支持する橋梁床版支持用型枠１０において、主桁１から外側方へ延びるように固定されて、打設される前記橋梁床版６０を支持する受け梁１１と、この受け梁１１を支持する受け梁サポート３０とを備え、前記受け梁１１に、前記支持パネルの前記主桁１に対する上下方向の相対位置並びに前記受け梁１１の軸方向に対する傾斜角を予め設定しておく調整装置１２を設け、この調整装置１２を、前記支持パネルを下から支持する支持部材１８と、前記受け梁１１の軸方向の任意の位置に取り付けて、前記支持部材１８を前記受け梁１１に対して上下に移動させる、相互に独立して作動する複数の昇降手段１３とを設ける。【選択図】      図１
2004232214.tif 000002
【特許請求の範囲】
【請求項１】
橋梁を構成する主桁から外側方へ張り出し、前記主桁に打設される橋梁床版をその下面に支持パネルを密着させて支持する橋梁床版支持用型枠において、
前記主桁の延びる方向の所定の間隔毎に、前記主桁から外側方へ延びるように固定されて、打設される前記橋梁床版を支持する受け梁と、
この受け梁の所定の位置に連結させて、前記主桁に対して前記受け梁を支持する受け梁サポートと、を備え、
前記受け梁には、前記支持パネルの前記主桁に対する上下方向の相対位置並びに前記受け梁の軸方向に対する傾斜角を予め設定しておく調整装置が設けられ、この調整装置は、前記支持パネルを下から支持する支持部材と、前記受け梁の軸方向における任意の位置に取り付けられて、前記支持部材を前記受け梁に対して上下に移動させる、相互に独立して作動する複数の昇降手段と、を有すること特徴とする橋梁床版支持用型枠。
【請求項２】
前記支持部材は、前記受け梁の軸方向に延びる一つの部材により構成される一方、
前記昇降手段は、前記受け梁の外周面を保持するホルダと、このホルダと一体的に形成されたジャッキ手段と、前記支持部材を下から支持し、前記ジャッキ手段によって前記受け梁に対して上下に移動される受け部材とから構成され、
前記ホルダが前記受け梁の軸方向に沿って移動可能に構成されていることを特徴とする請求項１に記載の橋梁床版支持用型枠。
【請求項３】
主桁に橋梁床版を打設して橋梁を架設する際に、前記主桁の外側方へ張り出すように前記主桁に橋梁床版支持用型枠を設置して、支持パネルを前記橋梁床版の下面に密着させて、この支持パネルを介して前記橋梁床版面を、支持しながら前記主桁に橋梁床版を打設する橋梁床版の施工方法において、
前記橋梁床版を支持する受け梁を、前記主桁から外側方に延ばして前記主桁に固定すると共に、この受け梁を前記主桁に対して支持させる受け梁サポートを前記受け梁の所定の位置に連結すると共に前記主桁に固定させて前記橋梁床版支持用型枠を前記主桁に設置する型枠設置工程と、
前記受け梁に搭載される前記支持パネルの前記主桁に対する上下方向の相対位置並びに前記受け梁の軸方向に対する傾斜角を前記受け梁に設けられた調整装置を用いて調整する調整工程と、
前記主桁より外側方に張り出す部分の下面を前記支持パネルに沿わせて、橋梁床版を打設する打設工程と、
前記調整装置を用いて前記支持パネルを降下させて、打設された前記橋梁床版の下面から前記支持パネルを引き離す離脱工程と、
その後に前記型枠を前記主桁から取り去る撤去工程とを備えたことを特徴とする橋梁床版の施工方法。
【請求項４】
前記調整工程では、前記受け梁の軸方向における任意の位置に取り付けられた、相互に独立して作動する複数の昇降手段を用いて、前記支持パネルが搭載される支持部材を、前記受け梁に対する相対位置並びに傾斜角を変化させることを特徴とする請求項３に記載の橋梁床版の施工方法。
【発明の詳細な説明】
【０００１】
【発明の属する技術分野】
本発明は、主桁に橋梁床版を打設するために用いられる橋梁床版支持用型枠及びこれを用いた橋梁床版の施工方法に関する。
【０００２】
【従来の技術】
従来から、支柱に支持された平行に延びる主桁に橋梁床版を打設する場合には、主桁に型枠を設置して、この型枠で打設される橋梁床版を支持しながら橋梁床版を打設していた。主桁の外側方に設置される型枠は、主桁の上フランジのやや下側から外側方に向けて受け梁を延ばすようにして主桁に固定すると共に、この受け梁を主桁の下フランジに支持させる受け梁サポートを主桁に固定させることで構成されている。
【０００３】
受け梁は、その基部が吊りボルトにより主桁の上フランジから吊り下げられるようにして主桁に固定される一方で、その先端並びに中間部分が受け梁サポートに支持され、先端側がやや上向きとなるように傾斜されて設置される。さらに、この受け梁の上面に、その軸方向の所定間隔毎に木材を主桁の延びる方向に配置し、この木材の上面に橋梁床版の下面を支持する支持パネルを配置する。橋梁床版は、このような型枠を使用し、橋梁床版の下面を支持パネルで支持して、所定の傾斜角が形成されるように打設されていた（例えば、非特許文献１参照）。
【０００４】
この型枠は、受け梁や受け梁サポートが強固に固定されるため、一旦主桁に設置されると型枠は事実上剛体のごとく構成され、型枠の形状を変形させて、主桁に対する受け梁の相対位置や、受け梁の傾斜角を変更させることが極めて困難であった。
【０００５】
このため、橋梁床版の下面を支持する支持パネルの主桁に対する相対位置並びに支持パネルの傾斜角を均一にする場合には、図１２に示すように主桁７０の外側方に延びる各受け梁７１…７１の取り付け状態に対応する細長い楔７２…７２を各受け梁７１…７１の上面に搭載し、この楔７２…７２の上に支持パネルを搭載していた。
【０００６】
【非特許文献１】
「床版工事設計施工の手引き」社団法人日本橋梁建設協会出版、１９９６年３月、第４０頁、図−５．３．３、及び同頁、図−５．３．４
【０００７】
【発明が解決しようとする課題】
しかしながら、受け梁毎に主桁に対する相対位置や傾斜角に対応させて楔を受け梁の上に搭載する手法では、受け梁毎に楔を選別、あるいは作成しなければならず、多大な手間を要していた。また、この手法では、楔の形状を搭載される受け梁の相対位置や傾斜角度に対応させることがある程度はできるものの、正確性に欠け、楔の上に搭載される支持パネルの主桁に対する相対位置や傾斜角を主桁の延びる方向に均一にすることが極めて困難であった。
【０００８】
本発明は、かかる問題点に鑑みなされたものであり、極めて容易に支持パネルの主桁に対する相対位置並びに傾斜角を均一に配することができる橋梁床版支持用型枠及びこれを使用した橋梁床版の施工方法を提供する。
【０００９】
【課題を解決するための手段】
本発明では上記課題を解決するために、橋梁を構成する主桁から外側方へ張り出し、前記主桁に打設される橋梁床版をその下面に支持パネルを密着させて支持する橋梁床版支持用型枠において、前記主桁の延びる方向の所定の間隔毎に、前記主桁から外側方へ延びるように固定されて、打設される前記橋梁床版を支持する受け梁と、この受け梁の所定の位置に連結させて、前記主桁に対して前記受け梁を支持する受け梁サポートとを備え、前記受け梁には、前記支持パネルの前記主桁に対する上下方向の相対位置並びに前記受け梁の軸方向に対する傾斜角を予め設定しておく調整装置が設けられ、この調整装置は、前記支持パネルを下から支持する支持部材と、前記受け梁の軸方向における任意の位置に取り付けられて、前記支持部材を前記受け梁に対して上下に移動させる、相互に独立して作動する複数の昇降手段とを有する橋梁床版支持用型枠を採用した。
【００１０】
主桁に橋梁床版支持用型枠を一旦設置してしまうと、この橋梁床版支持用型枠は、事実上剛体のように構成されてしまう。このため、受け梁サポートの長さなどの調整ができず、受け梁の主桁に対する相対位置や水平線に対する傾斜角を調整することが極めて困難となる。
【００１１】
本発明にかかる橋梁床版支持用型枠の構成によれば、受け梁に調整装置を設けているので、この調整装置を使用して、この受け梁に搭載される支持パネルについて、主桁の上フランジ対する相対位置や水平線に対する傾斜角をきわめて容易に調整させておくことができる。具体的には、支持パネルの搭載位置を上下に移動させて支持パネルを上フランジの高さに一致させるには、受け梁に取り付けられたすべての昇降手段を使用して支持部材を一様に昇降させればよい。一方、搭載される支持パネルの傾斜を調整するには、昇降手段を個々独立に適宜昇降させ、受け梁に対して所望の角度に傾斜させればよい。
【００１２】
なお、上記橋梁床版支持用型枠に関し、前記支持部材を、前記受け梁の軸方向に延びる一つの部材により構成する一方、前記昇降手段を、前記受け梁の外周面を保持するホルダと、このホルダと一体的に形成されたジャッキ手段と、前記支持部材を下から支持し、前記ジャッキ手段によって前記受け部材に対して上下に移動される受け部材とで構成し、前記ホルダが前記受け梁の軸方向に沿って移動可能にする。
【００１３】
このように調整装置を構成することで、受け梁の状況に応じて微妙な調整が可能となる。また、一般に、支持パネルを搭載する際には、受け梁の上面に複数の角材を主桁と平行に配し、これら角材の上に支持パネルを搭載するが、この角材を所望の位置に配することができる。
【００１４】
また、本発明では上記課題を解決するために、主桁に橋梁床版を打設して橋梁を架設する際に、前記主桁の外側方へ張り出すように前記主桁に橋梁床版支持用型枠を設置して、支持パネルを前記橋梁床版の下面に密着させて、この支持パネルを介して前記橋梁床版面を、支持しながら前記主桁に橋梁床版を打設する橋梁床版の施工方法において、前記橋梁床版を支持する受け梁を、前記主桁から外側方に延ばして前記主桁に固定すると共に、この受け梁を前記主桁に対して支持させる受け梁サポートを前記受け梁の所定の位置に連結すると共に前記主桁に固定させて前記橋梁床版支持用型枠を前記主桁に設置する型枠設置工程と、前記受け梁に搭載される前記支持パネルの前記主桁に対する上下方向の相対位置並びに前記受け梁の軸方向に対する傾斜角を前記受け梁に設けられた調整装置を用いて調整する調整工程と、前記主桁より外側方に張り出す部分の下面を前記支持パネルに沿わせて、橋梁床版を打設する打設工程と、前記調整装置を用いて前記支持パネルを降下させて、打設された前記橋梁床版の下面から前記支持パネルを引き離す離脱工程と、その後に前記型枠を前記主桁から取り去る撤去工程とを備えた。
【００１５】
本発明によれば、橋梁床版を打設する工程の前に、橋梁床版の下面を支持する支持パネルを確実に主桁の上フランジの位置に設定しておくことができ、しかも、傾きを均一にしておくことができる。このため、高品質な橋梁床版を打設することができる。
【００１６】
その一方で、支持パネルの位置、傾きを所定の状態に調整する時間を大幅に短縮する。さらに、打設後に支持パネルを橋梁床版の下面から離脱させるので、橋梁床版支持用型枠に余分な負荷のかからない状態で解体撤去の作業を行うことができる。このため、撤去作業を安全な状況の下で、しかも迅速に行うことができる。
【００１７】
なお、前記調整工程では、前記受け梁の軸方向における任意の位置に取り付けられた、相互に独立して作動する複数の昇降手段を用いて、前記支持パネルが搭載される支持部材を、前記受け梁に対する相対位置並びに傾斜角を変化させる。これにより、単に支持パネルの上フランジに対する相対位置を調整するだけでなく、水平線に対する傾斜角をも極めて迅速に調整することができる。
【００１８】
【発明の実施の形態】
以下、本発明の実施の形態について図面を参照しながら説明する。
【００１９】
図１は本発明の一実施形態にかかる橋梁床版支持用型枠１０を主桁１の横断面の方向に表した図である。橋梁床版支持用型枠１０が設置される主桁１は、対をなして支柱等の上部に平行に架設され、上下に延びる帯状の平板からなるウェブ２と、ウェブ２の上端及び下端から左右に張り出す上フランジ３及び下フランジ４とから構成されている。また、主桁１同士は、主桁１が延びる方向において、その所定の間隔毎に横桁５により連結されている。なお、橋梁床版支持用型枠１０は主桁１に対して左右対称をなして設置されるため、この図１では、片側の主桁１の外側方に設置された橋梁床版支持用型枠１０のみを示している。
【００２０】
この橋梁床版支持用型枠１０は、主桁１の上部にて外側方に延びる、角棒材からなる受け梁１１と、主桁１の下部から外側方に延びるようにして設けられ、受け梁１１を主桁１に対して支持する受け梁サポート３０とを備えている。また、主桁１には当該橋梁床版支持用型枠１０の他、主桁１の側方並びに下方を覆うようにして設置される、作業者が作業を行うための作業足場４０が設置されている。
【００２１】
主桁１のウェブ２には、その外側面に、上フランジ３のやや下側の位置と上下方向におけるほぼ中央分とに、外側方に突出する保持金具６，７が取り付けられていると共に、下フランジ４との境界部分に支持金具８が取り付けられている。上フランジ３のやや下側に取り付けられた保持金具６には、受け梁１１の基部がボルト締めして取り付けられ、中央部の保持金具７には、作業足場４０が取り付けられている。また、ウェブ２と下フランジ４との接続部分に設けられた支持金具８には、受け梁サポート３０の基部がボルト締めして取り付けられている。
【００２２】
まず、作業足場４０は、主桁１の下方にて水平に配された下段部４１、ウェブ２の中央部の位置にて主桁１から外側方に延びるように配された中段部４４、並びに受け梁１１の先端からさらに外側方に延びるように設置された上段部５２とから構成されている。
【００２３】
中段部４４は、主桁１の延びる方向における所定の間隔毎にて主桁１のウェブ２から外側方に延びるように取り付けられた支持梁４５と、主桁１と平行をなして支持梁４５に架設された帯状の平板材４６，４６とから構成されている。支持梁４５は、その基部がウェブ２の中央部に取り付けられた保持金具７に保持されていると共に、先端が受け梁１１の先端にチェーン５０により連結されている。一方、下段部４１は、主桁１の延びる方向において、中段部４４の支持梁４５が取り付けられた位置と同位置にて水平に配された支持梁４２と、主桁１と平行をなして支持梁４２に架設された帯状の平板材４３とから構成されている。下段部４１の支持梁４２は、その端部が、上下に延びる連結棒４７によって中段部４４を構成する支持梁４５の中間部分に連結されると共に、主桁１の下フランジ４にチェーン４９により吊り下げられている。そして、これら中段部４４の支持梁４５と下段部４１の支持梁４２とは端部同士が支持棒４８により連結されている。
【００２４】
上段部５２は、受け梁１１の先端からさらに外側方に張り出すようにして設けられ、受け梁１１と同軸上に延びる支持梁５３と、支持梁５３に搭載された帯状の平板材とから構成されている。また、支持梁５３の先端部には、垂直に延びる安全柵５５が設けられている。なお、支持梁５３は、受け梁１１を利用してもよい。
【００２５】
次に、受け梁１１を支持している受け梁サポート３０は、支持金具８から斜め上方に向けて延び、受け梁１１の先端を支持するメインサポートパイプ３１と、このメインサポートパイプ３１の中央部に連結され、上方に向けて延びて受け梁１１の中間部を支持するサブサポートパイプ３５とから構成されている。
【００２６】
メインサポートパイプ３１の軸方向の中央部には連結金具３３が取り付けられており、サブサポートパイプ３５は、その基部がこの連結金具３３にボルト締めされてメインサポートパイプ３１に連結されている。また、メインサポートパイプ３１の先端には、ホルダ３４が取り付けられていて、受け梁１１の先端をはめ込ませるようにして支持している。このメインサポートパイプ３１は、軸方向の中央部に取り付けられた連結金具３３を境に、基部側と先端側の双方に、各部位を伸縮させることを可能とする長さ調整機構３２，３２が設けられ、基部に対する連結金具３３までの距離、及び連結金具３３に対するホルダ３４までの距離を調整可能としている。一方、メインサポートパイプ３１に連結されたサブサポートパイプ３５にも、その先端にホルダ３７が取り付けられており、受け梁１１の中間部分をはめ込ませるようにして受け梁１１を支持している。さらに、サブサポートパイプ３５の軸方向の中間部分には、その長さを伸縮可能とする長さ調整機構３６が設けられており、基部と先端までの距離を調整可能としている。
【００２７】
受け梁１１は、その基部が保持金具６にボルト締めされて主桁１のウェブ２に保持されると共に、受け梁サポート３０により先端部と中間部とが支持されて、先端が基部より上側に位置するように所定の角度に傾けられている。この受け梁１１の上面には、主桁１と平行をなして複数の角材１９…１９が配されると共に、これら角材１９…１９の上面に板状の支持パネル２０が配置される。受け梁１１は、角材１９…１９及び支持パネル２０を介して、打設されるコンクリート床版６０の下面を支持し、コンクリート床版６０の両側部の下面に所定の傾斜角を形成させている。
【００２８】
この受け梁１１には、コンクリート床版６０の下面に密着させる支持パネル２０の主桁１に対する相対位置、並びに水平線に対する傾斜角を調整するための調整装置１２が設けられている。図２から図４はこの調整装置１２の詳細を示すもので、調整装置１２は、受け梁１１の上部にて受け梁１１の軸方向に延びるように配された支持部材１８と、受け梁１１の軸方向において、所定の位置に配されて、支持部材１８の下端部を支持する複数の昇降ユニット１３…１３部とを備えている。
【００２９】
支持部材１８は、その横断面の形状が「コ」の字に形成されており、受け梁１１の上部を被覆するようにして配されている。一方、各昇降ユニット１３は、受け梁１１の外周面を被覆するようにして受け梁１１に保持させるホルダ１４と、このホルダ１４の下面から下方に延びるジャッキ手段としてのボルト１５，１５及びナット１６，１６と、これらボルト１５，１５及びナット１６，１６により上下に移動されると共に、支持部材１８の下端を支持する受け部材１７とを備えている。
【００３０】
ホルダ１４は、断面形状が矩形状の筒体からなり、その下面にはプレート１４ａが一体的に設けられている。このホルダ１４は、図３に破線の矢印で示すように、受け梁１１の軸方向に沿って移動可能であり、軸方向の所望の位置に保持させることができる。このホルダ１４の下面に設けられたプレート１４ａには、受け梁１１の軸方向に並列をなして、ねじ部１５ｂ，１５ｂを下方に向けて延ばす、ジャッキ手段を構成するボルト１５の頭部１５ａ，１５ａが取り付けられている。
【００３１】
そして、受け部材１７がこのボルト１５，１５に挿入されるようにして取り付けられている。この受け部材１７は、その横断面の形状が「コ」の字に形成されており、受け梁１１の下部をホルダ１４の外側から包囲するようにして配されている。受け部材１７の下面には受け梁１１の軸方向に並列に配された挿入口１７ａ，１７ａが形成されており、各挿入口１７ａ，１７ａにはボルト１５，１５がそれぞれ挿入さている。一方、受け部材１７の上端は、支持部材１８の下端と突き合わされている。そして、ジャッキ手段を構成しているナット１６，１６が、受け部材１７の下面の下側にてボルト１５，１５に係合しており、ボルト１５，１５の軸方向の移動に伴い、受け部材１７を上下に移動させている。各昇降ユニット１３は、ナット１６，１６をボルト１５，１５の軸方向へ移動させ、受け部材１７を上下に昇降させることで、支持している支持部材１８の受け部材１７に対応する部位を上下に移動させている。
【００３２】
これら昇降ユニット１３…１３が、受け梁１１の軸方向において、受け梁１１の２ヶ所以上に取り付けられ、少なくとも支持部材１８の軸方向の両端を支持する。図５〜図１０は、受け梁１１の軸方向の４ヶ所に、相互に等間隔をなすようにして昇降ユニット１３…１３が取り付けられた態様を示している。
【００３３】
図５及び図６は、４つすべての昇降ユニット１３…１３に関し、受け部材１７…１７をボルト１５…１５の下部まで移動させ、支持部材１８を受け梁１１と平行に保ったまま降下させた状態を示している。これは、配列された複数の受け梁１１…１１中で、他の受け梁１１…１１に比べ上方に位置するように設置された受け梁１１について行われる処置である。即ち、対象となる受け梁１１に設けられた調整装置１２の支持部材１８の上面１８ａとその受け梁１１の上面１１ａとの間隔Ｌ１が、他の受け梁１１…１１に設けられた調整装置１２…１２の支持部材１８…１８の上面とその受け梁１１…１１の上面との間隔Ｌ２より小さくなるように位置させることで、角材１９…１９を介して支持部材１８…１８に搭載される支持パネル２０の高さを均一にさせる。調整された高さは、支持パネル２０の主桁１側の端縁が上フランジ３と面一になる位置である。これにより打設されるコンクリート床版６０の下面を、主桁１の長手方向についてすべての位置で上フランジ３の上面に一致させることができる。
【００３４】
一方、図７及び図８は、受け部材１７…１７をボルト１５…１５の上部まで移動させ、支持部材１８…１８を受け梁１１…１１と平行に維持させて上昇させた状態を示している。この処置は、配列された複数の受け梁１１…１１中で、他の受け梁１１…１１に比べ下方に位置するように設置された受け梁１１について行われる。対象となる受け梁１１に設けられた調整装置１２の支持部材１８の上面１８ａと受け梁１１の上面と１１ａの間隔Ｌ３を、他の受け梁１１…１１に設けられた調整装置１２…１２の支持部材１８…１８の上面と受け梁１１…１１の上面との間隔Ｌ４より大きくなるよに支持部材１８を上昇させることで、支持パネル２０を上フランジ３の位置で均一に配置することができる。
【００３５】
このように、支持部材１８を受け梁１１に対して上下に移動させることで、角材１９…１９を介して支持部材１８に支持される支持パネル２０が搭載される位置を上下に移動させ、支持パネル２０の主桁１の上フランジ３に対する相対位置を調整する。
【００３６】
他方、図９及び図１０は、各昇降ユニット１３…１３の受け部材１７…１７を各々のボルト１５…１５の軸方向の異なる位置で固定させて、受け部材１７…１７により支持された支持部材１８を受け梁１１に対して傾けた態様を示している。この処置は、配列された複数の受け梁１１…１１の中で、他の受け梁１１…１１の傾きと異なる傾きで設置された受け梁１１について行われる。図１０において、手前側に位置する受け梁１１の水平線Ｈに対する傾斜角θ１が、他の受け梁１１…１１の比べ水平線Ｈに対する傾斜角θ２より大きく形成されるように設置されたとする。傾斜角θ１の受け梁１１に設けられた調整装置１２については、主桁１側に位置する昇降ユニット１３に関しては受け部材１７を相対的に高い位置まで上昇させ、順に、受け梁１１の先端側に位置する昇降ユニット１３の受け部材１７を漸次相対的に降下させる。これにより支持部材１８に支持された支持パネル２０の傾きを他の受け梁１１…１１の位置と同様な傾きとすることができる。
【００３７】
以上、受け梁１１に設けられた調整装置１２が、受け梁１１の軸方向の４ヶ所に昇降ユニット１３…１３を備えている態様について説明したが、昇降ユニット１３…１３の数は、受け梁１１の長さや、主桁１の設置状態に応じて適宜設ければよい。この際、受け梁１１毎に異なる数の昇降ユニット１３…１３を設けることや、受け梁１１の軸方向の異なる位置に昇降ユニット１３…１３設けることも可能である。また、昇降ユニット１３…１３に設けられたジャッキ手段に関しては、ボルト１５とナット１６との組み合わせで構成したものについて説明したが、これに限定されるものではなく、例えば、小型の油圧シリンダなどを用いてもよい。さらに、支持部材１８に関しては、受け梁１１の軸方向に延びる１つの部材により形成されたものを例に説明したが、各昇降ユニット１３…１３毎に長さの短い支持部材を設け、各支持部材毎に角材１９…１９を搭載するように構成しても構わない。
【００３８】
以上の構成を有する橋梁床版支持用型枠１０によれば、コンクリート床版６０は以下の手順によって打設される。
【００３９】
図１１は、コンクリート床版６０を打設する手順を示すフローチャートである。このフローチャートに示すように、まず、主桁１に作業足場４０を組み込む。作業足場４０は、主桁１のウェブ２中央に取り付けられた保持金具７が利用される（Ｓ１）。
【００４０】
次いで、上フランジ３のやや下側に取り付けられた保持金具６を利用して、受け梁１１を主桁１に取り付けると共に、ウェブ２と下フランジ４との境界部分に取り付けられた支持金具８を利用して受け梁サポート３０を主桁１に取り付けて橋梁床版支持用型枠１０を主桁１に設置する（Ｓ２）。この際、受け梁１１の先端が基部に対して上側に位置するように、受け梁１１を水平線に対して所定の角度だけ傾くように、受け梁サポート３０で受け梁１１を支持する。受け梁１１を所定の角度で傾斜させるには、受け梁サポート３０を構成するメインサポートパイプ３１の長さ調整機構３２，３２を利用してメインサポートパイプ３１の長さを調整すると共に、サブサポートパイプ３５に設けられた長さ調整機構３６を利用して、サブサポートパイプ３５の長さを調整する。
【００４１】
次いで、各受け梁１１に設けられた調整装置１２の支持部材１８の上に、受け梁１１の軸方向の所定の位置に、複数の角材１９…１９を主桁１と平行をなすようにして架設する。（Ｓ３）。
【００４２】
その後、受け梁１１の高さ並びに傾斜角を、角材１９…１９を測量ポイントとしてレベルやトランシットで観測する。観測の結果、他の受け梁１１と異なる高さに設置されている受け梁１１や異なる角度で設置されている受け梁１１があれば、その受け梁１１に設けられた調整装置１２で高さ並びに角度を他の受け梁１１と同水準に調整する（Ｓ４）。調整は、図５〜図１０に示すように、受け梁１１の状態に応じて、調整装置１２に設けられた昇降ユニット１３…１３ごとに受け部材１７を受け梁１１に対して上下させて、支持部材１８の受け梁１１に対する高さ並びに傾斜角を変化させて行う。
【００４３】
配列された受け梁１１の高さ並びに傾きが均一に調整された後に、角材１９…１９の上に支持パネル２０を搭載する（Ｓ５）。搭載された支持パネル２０は、主桁１側の端縁が上フランジ３と面一となる。
【００４４】
そして、主桁１の上にコンクリート床版６０を打設する（Ｓ６）。打設されるコンクリート床版６０は、主桁１の外側方に張り出す部分の下面が支持パネル２０に密着されるように支持される。これにより、コンクリート床版６０は、主桁１の外側方に張り出す部分の下面が、所定の傾斜角が形成されて、上フランジ３から外側方に延びるようにして打設される。
【００４５】
打設されたコンクリート床版６０が固まった後、調整装置１２の支持部材１８をすべて降下させ、コンクリート床版６０の下面から支持パネル２０を離脱させる（Ｓ７）。これにより、コンクリート床版６０を支持していた受け梁１１はコンクリート床版６０から受けていた反力から解放される。そして、主桁１から受け梁１１、受け梁サポート３０、並びに作業足場４０を撤去する（Ｓ８）。撤去する工程では、受け梁１１はコンクリート床版６０からの反力を受けていないので、受け梁１１、受け梁サポート３０に設けられている各連結部分には余分な負荷が作用しておらず、極めて容易に撤去することができる。
【００４６】
【発明の効果】
以上、本発明によれば、コンクリート床版の下面を支持する支持パネルを主桁の上フランジの位置に高さ調整することができるので、主桁から外側方に張り出すコンクリート床版の下面を確実に主桁の上フランジの位置に打設させることができる。また、支持パネルの水平線に対する傾きを自在に調整させることができるので、主桁の延びる方向に関して均一な傾斜面の形成されたコンクリート床版を打設することができる。
【００４７】
そして、各受け梁に設けられた調整装置の昇降手段を操作するだけで、このような調整を行うことができるため、打設までの段取り時間を大幅に短縮させることができる。一方、コンクリート床版の打設後に、調整装置の支持部材を降下させることで、支持パネルをコンクリート床版の下面から離脱させることができ、余分な負荷が作用しない状態で橋梁床版支持用型枠や作業足場を解体し撤去することができる。こため、橋梁架設の全体の工期を大幅に短縮させることができる。
【図面の簡単な説明】
【図１】本発明の一実施形態にかかる橋梁床版支持用型枠を主桁の延びる方向に直交する方向から見た図。
【図２】図１の橋梁床版支持用型枠を構成する受け梁に設けられた調整装置を示す図。
【図３】図２に示す調整装置を構成する昇降ユニットの詳細を示す一部切り欠き図。
【図４】昇降ユニットの受け部材を降下させた状態と上昇させた状態を対比して示した昇降ユニットの説明図。
【図５】受け梁に取り付けられた昇降ユニットの受け部材をすべてボルトの下部に位置させて、支持部材を受け梁と平行に維持した状態で降下させた態様を示す図。
【図６】受け梁の１つに設けられた調整装置を図５に示す状態に形成した橋梁床版支持用型枠を模式的に示す説明図。
【図７】受け梁に取り付けられた昇降ユニットの受け部材をすべてボルトの上部に位置させて、支持部材を受け梁と平行に維持した状態で上昇させた態様を示す図。
【図８】受け梁の１つに設けられた調整装置を図７に示す状態に形成した橋梁床版支持用型枠を模式的に示す説明図。
【図９】受け梁に取り付けられた各昇降ユニットの受け部材をボルトの軸方向の異なる位置に固定して、支持部材を受け梁に対して傾斜させた状態を示す図。
【図１０】受け梁の１つに設けられた調整装置を図９に示す状態に形成した橋梁床版支持用型枠を模式的に示す説明図。
【図１１】本発明の橋梁床版の施工方法の流れを示すフローチャート。
【図１２】従来の施工方法で橋梁床版が打設される橋梁床版支持用型枠の一部を示す斜視図。
【符号の説明】
１  主桁
６，７  保持金具
８  支持金具
１０  橋梁床版支持用型枠
１１  受け梁
１２  調整装置
１３  昇降ユニット
１４  ホルダ
１５  ボルト（ジャッキ手段）
１６  ナット（ジャッキ手段）
１７  受け部材
１８  支持部材
３０  受け梁サポート
３１  メインサポートパイプ
３５  サブサポートパイプ
４０  作業足場
６０  コンクリート床版（橋梁床版）
【図１】
2004232214.tif 000003
【図２】
2004232214.tif 000004
【図３】
2004232214.tif 000005
【図４】
2004232214.tif 000006
【図５】
2004232214.tif 000007
【図６】
2004232214.tif 000008
【図７】
2004232214.tif 000009
【図８】
2004232214.tif 000010
【図９】
2004232214.tif 000011
【図１０】
2004232214.tif 000012
【図１１】
2004232214.tif 000013
【図１２】
2004232214.tif 000014